(57)【特許請求の範囲】
【請求項１】
能力の高い圧縮機を備えた第２の室外ユニットと、能力の低い圧縮機を備えた第１の室外ユニットと、室内ユニットと、を接続するユニット間配管を洗浄するための配管洗浄方法において、
前記能力の高い圧縮機のオイルポートに接続されるオイル排出用配管と、前記オイル排出用配管に設けられる排出用開閉弁と、前記能力の高い圧縮機の冷媒配管の中途部に接続されるオイル注入用配管と、前記オイル注入用配管に設けられる注入用開閉弁とを設け、
前記能力の低い圧縮機の吸込側および吐出側と前記ユニット間配管を介して前記能力の高い圧縮機とを接続する外部接続バルブと、前記能力の低い圧縮機とオイルバランス管を介して前記能力の高い圧縮機とを接続するオイル接続バルブとを設け、
前記第１の室外ユニットの前記外部接続バルブおよび前記オイル接続バルブが閉状態で、前記能力の高い圧縮機を駆動して暖房運転によるポンプダウン動作処理と、前記オイル排出用配管の前記排出用開閉弁を開くオイル抜き処理と、前記オイル注入用配管の前記注入用開閉弁を開く新オイル注入処理と、暖房運転によるポンプダウン動作解除後に暖房運転を行う処理と、を順次行うことを特徴とする配管洗浄方法。
【請求項２】
前記能力の高い圧縮機を備えた第２の室外ユニットは、エンジンで駆動されるＧＨＰ圧縮機を備えたＧＨＰ室外ユニットであり、
前記能力の低い圧縮機を備えた第１の室外ユニットは、商用電源で駆動されるＥＨＰ圧縮機を備えたＥＨＰ室外ユニットであることを特徴とする請求項１に記載の配管洗浄方法。
【発明の詳細な説明】
【技術分野】
【０００１】
本発明は、配管洗浄方法に係り、特に、ＧＨＰ室外ユニットとＥＨＰ室外ユニットとを併用する空気調和装置のユニット間配管を洗浄する配管洗浄方法に関する。
【背景技術】
【０００２】
一般に、空気調和装置の施工においては、室外ユニットあるいは室内ユニットのみを交換し、建物の既設配管はそのまま再利用することで、配管工事に要する膨大な費用の削減、工期の短縮を図ることが行われている。
既設配管をそのまま利用する場合には、既設配管内の洗浄が必要な場合がある。このような既設配管の洗浄は、例えば、室外ユニットあるいは室内ユニットを設置する前に、専用の洗浄装置を既設配管の管路に接続することにより、既設配管に付着した冷凍機油の残油などの除去を行なうものである。
しかしながら、専用の洗浄装置における既設配管の洗浄では、室外ユニットや室内ユニットを設置する前に、洗浄装置を設置した作業行程が必要となり、設備施工のための工数が増え、また、洗浄装置の設備費・管理コストや、洗浄作業に要する人件費もかさむことになるという問題がある。
【０００３】
そのため、従来から、エンジンで冷媒用圧縮機を駆動するエンジン駆動式ヒートポンプにおいて、建物の既設配管内の残油などを除去する配管洗浄モードの運転モードを備え、配管洗浄モードの運転において、運転開始時は、少量の冷媒循環量での運転を行なうとともに、建物の既設配管内洗浄完了の後は、自動的に通常運転モードに切換えるようにした技術が開示されている（例えば、特許文献１参照）。
【先行技術文献】
【特許文献】
【０００４】
【特許文献１】特開２００４−００３６９６号公報
【発明の概要】
【発明が解決しようとする課題】
【０００５】
ここで、近年、エンジンで圧縮機を駆動するＧＨＰ室外ユニットとＥＨＰ室外ユニットとを用いて、複数の室内ユニットを駆動する空気調和装置が多く用いられている。
このような空気調和装置においては、ＧＨＰ室外ユニットまたはＥＨＰ室外ユニットのいずれか一方、あるいは両方を交換するような場合に、既設のユニット間配管を再利用する場合に、前記従来の技術では、ＧＨＰ室外ユニットまたはＥＨＰ室外ユニットに配管洗浄モードを設ける必要があるという問題がある。
本発明は、前記した点に鑑みてなされたものであり、ＧＨＰ室外ユニットおよびＥＨＰ室外ユニットのユニット間配管の洗浄を効率よく行うことのできる配管洗浄方法を提供することを目的とする。
【課題を解決するための手段】
【０００６】
前記目的を達成するため、本発明は、能力の高い圧縮機を備えた第２の室外ユニットと、能力の低い圧縮機を備えた第１の室外ユニットと、室内ユニットと、を接続するユニット間配管を洗浄するための配管洗浄方法において、前記能力の高い圧縮機のオイルポートに接続されるオイル排出用配管と、前記オイル排出用配管に設けられる排出用開閉弁と、前記能力の高い圧縮機の冷媒配管の中途部に接続されるオイル注入用配管と、前記オイル注入用配管に設けられる注入用開閉弁とを設け、前記能力の低い圧縮機の吸込側および吐出側と前記ユニット間配管を介して前記能力の高い圧縮機とを接続する外部接続バルブと、前記能力の低い圧縮機とオイルバランス管を介して前記能力の高い圧縮機とを接続するオイル接続バルブとを設け、前記第１の室外ユニットの前記外部接続バルブおよび前記オイル接続バルブが閉状態で、前記能力の高い圧縮機を駆動して暖房運転によるポンプダウン動作処理と、前記オイル排出用配管の前記排出用開閉弁を開くオイル抜き処理と、前記オイル注入用配管の前記注入用開閉弁を開く新オイル注入処理と、暖房運転によるポンプダウン動作解除後に暖房運転を行う処理と、を順次行うことを特徴とする。
【０００７】
また、前記構成において、前記能力の高い圧縮機を備えた第２の室外ユニットは、エンジンで駆動されるＧＨＰ圧縮機を備えたＧＨＰ室外ユニットであり、前記能力の低い圧縮機を備えた第１の室外ユニットは、商用電源で駆動されるＥＨＰ圧縮機を備えたＥＨＰ室外ユニットであることを特徴とする。
【発明の効果】
【０００８】
本発明の配管洗浄方法によれば、ＧＨＰ室外ユニットおよびＥＨＰ室外ユニットを備えた空気調和装置において、ユニット間配管の洗浄を効率よく行うことができる。別途、洗浄装置を準備して別工程による作業を行う必要もなく、設備施工のための工数およびコストの低減を図ることができる。
【図面の簡単な説明】
【０００９】
【図１】本発明の実施の形態に係る空気調和装置の構成図である。
【図２】空気調和装置の機能的構成を示すブロック図である。
【発明を実施するための形態】
【００１０】
以下、図面を参照して本発明の一実施形態について説明する。
図１は、本発明に係る配管洗浄方法を適用する空気調和装置の実施形態を示す構成図である。
空気調和装置１は、能力の高い圧縮機としてのガスエンジンで駆動される圧縮機を備えたＧＨＰ室外ユニット２（第２の室外ユニット）と、能力の低い圧縮機としての商用電源で駆動される圧縮機を備えたＥＨＰ室外ユニット３（第１の室外ユニット）と、複数の室内ユニット４とを備えている。ＧＨＰ室外ユニット２、ＥＨＰ室外ユニット３および各室内ユニット４とは、ユニット間配管５およびオイルバランス管６を介して接続され、これにより、空調運転を行うための冷凍サイクル回路が構成されている。
【００１１】
ＧＨＰ室外ユニット２は、外部のユニット間配管５と接続するための２つの外部接続バルブ１０ａ，１０ｂおよびオイルバランス管６を接続するためのオイル接続バルブ１１を備えている。
ＧＨＰ室外ユニット２には、エンジンとしてのガスエンジン１２と、ガスエンジン１２の駆動力により冷媒を圧縮するＧＨＰ圧縮機１３（能力の高い圧縮機）とが設けられている。ＧＨＰ圧縮機１３は、並列に設けられる第１のＧＨＰ圧縮機１３ａおよび第２のＧＨＰ圧縮機１３ｂから構成されている。第１のＧＨＰ圧縮機１３ａには、オイルポート１３ｃが形成されている。
ガスエンジン１２は、燃料調整弁（図示せず）を経て供給されるガスなどの燃料と、スロットル弁（図示せず）を経て供給される空気との混合気を燃焼させて駆動力を発生するようになっている。
ガスエンジン１２の出力軸と、ＧＨＰ圧縮機１３の従動軸との間には、駆動ベルト１４が掛け渡されており、ガスエンジン１２の駆動力を駆動ベルト１４を介して伝達することで、ＧＨＰ圧縮機１３を駆動するように構成されている。
【００１２】
ＧＨＰ圧縮機１３の吐出側には、オイルセパレータ１５、四方弁１６および２つの室外熱交換器１７，１７が順に接続され、各室外熱交換器１７は、冷媒配管２０を介して一方の外部接続バルブ１０ａに接続されている。室外熱交換器１７の近傍には、室外熱交換器１７と外気との熱交換を行うための室外送風機１８が設けられている。
また、他方の外部接続バルブ１０ｂには、冷媒配管２０が接続されており、この冷媒配管２０は、途中四方弁１６およびアキュムレータ１９を介してＧＨＰ圧縮機１３の吸込側に接続されている。
【００１３】
冷媒配管２０の中途部には、電動弁２４と逆止弁２５とが並列に接続されており、冷媒配管２０には、アキュムレータ１９の流入側に接続されるリキッド管２２が接続されている。室外熱交換器１７と外部接続バルブ１０ａとの間には、ドライコア３９が設けられている。
また、ＧＨＰ圧縮機１３の吸込側と冷媒配管２０との間には、ＧＨＰ圧縮機１３の吸込側と冷媒配管２０とを接続する熱交換冷媒配管２３が接続されており、この熱交換冷媒配管２３には、電動弁２６が設けられている。熱交換冷媒配管２３の電動弁２６とＧＨＰ圧縮機１３の吸込側との間には、プレート型熱交換器２７が設けられている。
【００１４】
ＧＨＰ室外ユニット２は、ＧＨＰ圧縮機１３の吐出側と吸込側とを接続するバイパス管２８を備えている。バイパス管２８の一端は、オイルセパレータ１５と四方弁１６との間に接続され、バイパス管２８の他端は、アキュムレータ１９と四方弁１６との間に接続される。ＧＨＰ圧縮機１３の吐出側の冷媒の一部は、圧力差により、バイパス管２８を通ってＧＨＰ圧縮機１３の吸込側に流れる。
バイパス管２８には、バイパス管２８の流量を調整するバイパス弁２９が設けられている。バイパス弁２９は、段階的に開閉可能な電動弁である。
【００１５】
ＧＨＰ室外ユニット２は、オイルセパレータ１５とＧＨＰ圧縮機１３の吸込側とを接続するオイル戻し管３０を備えている。オイルセパレータ１５の内部に貯留される潤滑用のオイルは、ＧＨＰ圧縮機１３の吐出側と吸込側との圧力差により、オイル戻し管３０を通って吸込側に流される。
【００１６】
オイル戻し管３０は、オイルセパレータ１５のオイル流出口とＧＨＰ圧縮機１３の吸込側とを接続する第１の戻し管３１と、第１の戻し管３１に対して並列に設けられる第２の戻し管３６とを備えている。
第１の戻し管３１は、キャピラリチューブ３２を備えている。
第２の戻し管３６は、キャピラリチューブ３２をバイパスするように第１の戻し管３１に接続されており、第２の戻し管３６の一端は、第１の戻し管３１におけるキャピラリチューブ３２の上流側に接続され、第２の戻し管３６の他端は、第１の戻し管３１におけるキャピラリチューブ３２の下流側に接続される。
第２の戻し管３６は、キャピラリチューブ３３と、キャピラリチューブ３３の下流に設けられるオイル戻し弁３４とを備えている。
【００１７】
オイル接続バルブ１１には、オイル管３５が接続されている。オイル管３５は、途中で分岐し、その一方は、冷媒配管２０のオイルセパレータ１５より下流側に接続されるとともに、他方は、第２の戻し管３２のキャピラリチューブ３３とオイル戻し弁３４との間に接続されている。
【００１８】
冷媒配管２０に接続される外部接続バルブ１０ａには、ユニット間配管５を介して各室内ユニット４の室内熱交換器４０の一端が接続されている。ユニット間配管５の中途部には、膨張弁４１が設けられている。
各室内ユニット４の内部には、室内熱交換器４０と室内空気との熱交換を行うための室内送風機４２が設けられている。
また、各室内熱交換器４０の他端には、ユニット間配管５を介して冷媒配管２０に接続される外部接続バルブ１０ｂが接続されている。
【００１９】
また、ＧＨＰ室外ユニット２は、ガスエンジン１２の冷却水回路５０を備えている。
冷却水回路５０は、ガスエンジン１２から冷却水配管５１を介して順に接続される冷却水三方弁５２と、プレート型熱交換器２７と、一方の室外熱交換器１７に近接配置されたラジエータ５３と、冷却水ポンプ５４と、ガスエンジン１２の排気ガス熱交換器５５とを備え、冷却水ポンプ５４を駆動することにより、この回路内に冷却水を循環させるように構成されている。
冷却水回路５０の冷却水配管５１は、図１に二重線で示されるとともに、冷却水の流れは、実線の矢印で示される。
ラジエータ５３では、外気と冷却水との熱交換が行われる。
また、プレート型熱交換器２７では、電動弁２６の動作で、ＧＨＰ圧縮機１３に戻る冷媒が冷却水配管５１内を流れる冷却水によって加熱される。これにより、冷媒の低圧圧力が上昇し、暖房効率が向上する。
【００２０】
冷却水回路５０は、ガスエンジン１２、冷却水三方弁５２、ラジエータ５３、冷却水ポンプ５４、排気ガス熱交換器５５およびガスエンジン１２の順に冷却水が流れる第１経路を形成可能である。
また、冷却水回路５０は、冷却水を、ガスエンジン１２、冷却水三方弁５２、プレート型熱交換器２７、冷却水ポンプ５４、排気ガス熱交換器５５およびガスエンジン１２の順に冷却水が流れる第２経路を形成可能である。
【００２１】
次に、ＥＨＰ室外ユニット３について説明する。
ＥＨＰ室外ユニット３は、外部のユニット間配管５と接続するための２つの外部接続バルブ６０およびオイルバランス管６を接続するためのオイル接続バルブ６１を備えている。
ＥＨＰ室外ユニット３２は、商用電源で駆動されるＥＨＰ圧縮機６２（能力の低い圧縮機）を備えている。このＥＨＰ圧縮機６２は、例えば、出力を可変することのできるインバータ式の圧縮機とされている。
【００２２】
ＥＨＰ圧縮機６２の吐出側には、オイルセパレータ６３、四方弁６４および２つの室外熱交換器６５，６５が順に接続され、室外熱交換器６５は、冷媒配管２１を介して一方の外部接続バルブ６０ａに接続されている。室外熱交換器６５の近傍には、室外熱交換器６５と外気との熱交換を行うための室外送風機６６（図２を参照）が設けられている。
室外熱交換器６５と外部接続バルブ６０ａとの間には、レシーバタンク６７が設けられている。
室外熱交換器６５には、２系統の管路が形成されており、四方弁６４側の冷媒配管２１およびレシーバタンク６７側の冷媒配管２１は、それぞれ分岐して室外熱交換器６５に接続されるように構成されている。また、室外熱交換器６５のレシーバタンク６７側の冷媒配管２１には、それぞれ室外用電子制御弁６８，６８が設けられている。
【００２３】
他方の外部接続バルブ６０ｂには、冷媒配管２１を介して、ＥＨＰ圧縮機６２の吸込側に接続されており、冷媒配管の中途部には、四方弁６４およびアキュムレータ６９が設けられている。
【００２４】
また、ＥＨＰ圧縮機６２とオイルセパレータ６３との間の冷媒配管２１の中途部には、分岐してＥＨＰ圧縮機６２とアキュムレータ６９との間の冷媒配管２１に接続される冷媒戻し配管７０が設けられている。冷媒戻し配管７０の中途部には、冷媒戻し用電磁弁７１が設けられている。そして、冷媒戻し用電磁弁７１を開くと、冷媒の一部は、冷凍サイクルを循環せずにＥＨＰ圧縮機６２の吸込側に導かれる。
【００２５】
また、オイルセパレータ６３の下部には、オイル管７２が接続されており、オイル管７２の中途部には、ＥＨＰ圧縮機６２の吸込側に接続されるオイル戻し配管７３が接続されている。オイル戻し配管７３は、オイル管７２から分岐する２つの分岐管７４，７５を備えており、一方の分岐管７４には、オイル戻し用電磁弁７６３１が設けられるとともに、他方の分岐管７５には、キャピラリチューブ７８が設けられている。また、オイル配管２７の各分岐管７４，７５の接続部分の間には、キャピラリチューブ７９が設けられている。
【００２６】
オイルセパレータ６３と四方弁６４との間の冷媒配管２１の中途部には、途中分岐してオイル管７２の中途部に接続される高圧冷媒配管８０が接続されている。高圧冷媒配管８０の中途部には、高圧冷媒用電磁弁８１が設けられている。
【００２７】
また、アキュムレータ６９は、冷媒配管２１の冷媒が流入される流入管８２と、アキュムレータ６９の内部のガス冷媒をＥＨＰ圧縮機６２に送る流出管８３とを備えている。流出管８３は、アキュムレータ６９の内部上方に開口するように構成されており、アキュムレータ６９の内部上方に溜まったガス冷媒をＥＨＰ圧縮機６２に送るように構成されている。
また、ＥＨＰ圧縮機６２には、ＥＨＰ圧縮機６２の吸込側に接続されるオーバーフロー管８４が接続されている。このオーバーフロー管８４には、ストレーナ８５と、油を減圧するための絞り８６が組み込まれている。
さらに、ＥＨＰ室外ユニット３には、外部温度を検出するための外気温センサ９０が設けられている。
【００２８】
ＥＨＰ室外ユニット３の外部接続バルブ６０ａには、ユニット間配管５の一端が接続され、このユニット間配管５の他端は、ＧＨＰ室外ユニット２の外部接続バルブ１０ａと室内ユニット４とを接続するユニット間配管５の中途部に接続されている。ＥＨＰ室外ユニット３の冷媒配管に接続される外部接続バルブ６０ｂには、ユニット間配管５の一端が接続され、このユニット間配管５の他端は、ＧＨＰ室外ユニット２の外部接続バルブ１０ｂと室内ユニット４とを接続するユニット間配管５の中途部に接続されている。
【００２９】
また、ＥＨＰ室外ユニット３のオイル接続バルブ６１と、ＧＨＰ室外ユニット２のオイル接続バルブ１１とは、オイルバランス配管を介して接続されている。これにより、オイルバランス配管を介して、ＧＨＰ室外ユニット２のＥＨＰ圧縮機６２と、ＥＨＰ室外ユニット３のＥＨＰ圧縮機６２との間で、オイルを互いに供給することでき、ＧＨＰ室外ユニット２のＥＨＰ圧縮機６２と、ＥＨＰ室外ユニット３のＥＨＰ圧縮機６２とのオイル量のバランスを保持することができる。
そして、冷房運転を行う場合には、図１中実線矢印で示すように、冷媒が流れ、暖房運転を行う場合は、図１中破線で示すように、冷媒が流れる。
【００３０】
次に、本実施形態の空気調和装置の制御構成について説明する。図２は本実施形態における制御構成を示すブロック図である。
図２に示すように、本実施形態においては、ＧＨＰ室外ユニット２は、ＧＨＰ制御部１００を備えており、ＥＨＰ室外ユニット３は、ＥＨＰ制御部１０１を備えている。また、室内ユニット４は、それぞれ室内制御部１０２を備えている。空気調和装置は、ＧＨＰ制御部１００、ＥＨＰ制御部１０１および室内制御部１０２を統括して制御する制御部としてのシステム制御部１０３を備えている。
これらＧＨＰ制御部１００、ＥＨＰ制御部１０１、室内制御部１０２およびシステム制御部１０３は、例えば、ＣＰＵなどの演算処理回路、記憶手段としてのＲＯＭ、ＲＡＭなどを備え、所定のプログラムを実行することにより、所定の制御を行うものである。
【００３１】
図２に示すように、ＧＨＰ制御部１００は、ガスエンジン１２および室外送風機１８を駆動制御するように構成されている。
ＥＨＰ制御部１０１は、外気温センサ９０による検出値に基づいて、ＥＨＰ圧縮機６２および室外送風機６６を駆動制御するように構成されている。
なお、本実施形態においては、ＥＨＰ室外ユニット３のみに外気温センサ９０を設けるようにしているが、ＧＨＰ室外ユニット２にも外気温センサ９０を設けるようにしてもよい。
室内制御部１０２は、室温センサによる検出値に基づいて、室内送風機４２および弁動作を駆動制御するように構成されている。
システム制御部１０３は、室内ユニット４の運転台数、設定温度、外気温度などに基づいて、ＧＨＰ室外ユニット２、ＥＨＰ室外ユニット３および室内ユニット４を制御することで、ＧＨＰ室外ユニット２による運転と、ＥＨＰ室外ユニット３による運転とが、最も省エネルギになるように、ＧＨＰ制御部１００、ＥＨＰ制御部１０１および室内制御部１０２に制御信号を出力する。これにより、ＧＨＰ制御部１００によりＧＨＰ室外ユニット２の運転制御、ＥＨＰ制御部１０１によりＥＨＰ室外ユニット３の運転制御、室内制御部１０２により室内ユニット４の運転制御をそれぞれ効率よく行うように構成されている。
【００３２】
ここで、例えば、ＧＨＰ室外ユニット２を交換する場合などに、室内ユニット４と接続する既設のユニット間配管５を交換するか、既設のユニット間配管５を洗浄して再利用するか、そのまま利用するかを判断する。
一般に、ユニット間配管５の配管径が異なったり、配管長が配管長制限より長くなるような場合には、既設のユニット間配管５を利用することができないため、ユニット間配管５を交換する必要がある。
しかしながら、配管径が一致し、配管長制限も満足する場合であって、空気調和装置で使用されるオイルが異なる場合や、既設のＧＨＰ室外ユニット２のＧＨＰ圧縮機１３の故障がある場合や、既設のユニット間配管５の汚れがある場合には、既設のユニット間配管５を洗浄することで、再利用が可能である。
それ以外の場合であれば、既設のユニット間配管５を洗浄することなく、そのまま利用する。
【００３３】
既設のユニット間配管５を洗浄して再利用する場合に、本実施形態においては、ＧＨＰ圧縮機１３に形成されたオイルポート１３ｃをオイル抜き用のポートとして利用する。
図１に示すように、オイルポート１３ｃには、オイル排出用配管１１０が接続されており、オイル排出用配管１１０には、排出用開閉弁１１１が設けられている。また、ＧＨＰ圧縮機１３の吐出側の冷媒配管には、オイル注入用配管１１２が接続されており、オイル注入用配管１１２には、注入用開閉弁１１３が設けられている。
また、オイル排出用配管１１０の末端部分には、オイル排出用配管１１０から排出されるオイルを受けるオイル容器１１４が設けられており、オイル注入用配管１１２の端部には、新規オイルが貯留されたオイルタンク１１５が設けられている。
【００３４】
次に、本発明の配管洗浄方法について説明する。
まず、ＧＨＰ室外ユニット２を交換する場合などに、室内ユニット４と接続する既設のユニット間配管５を交換するか、既設のユニット間配管５を洗浄して再利用するか、そのまま利用するかを判断する。
そして、ユニット間配管５の洗浄を行う場合は、ＧＨＰ圧縮機１３を駆動して暖房運転によるポンプダウン動作処理と、オイル排出用配管１１０の排出用開閉弁１１１を開くオイル抜き処理と、排出用開閉弁１１１を閉じた後、オイル注入用配管１１２の注入用開閉弁１１３を開く新オイル注入処理と、ポンプダウン解除後に、暖房運転を２０〜３０分行う暖房運転処理と、を順次行う。これら各処理を複数回繰り返して行う。
【００３５】
暖房運転によるポンプダウン運転を行うことで、冷媒配管２０内の冷媒を室内ユニット４の室内熱交換器４０に溜め込み、この状態で、排出用開閉弁１１１を開動作させることで、ＧＨＰ圧縮機１３のオイルポート１３ｃから古いオイルを排出することが可能となる。そして、排出用開閉弁１１１を閉動作させた後、注入用開閉弁１１３を開動作させ、冷媒配管に新しいオイルを注入する。この動作を数回繰り返すことで、ユニット間配管５を洗浄することができる。
このような処理を行うことで、オイル排出用配管１１０から古いオイルをオイル容器１１４に排出するとともに、オイルタンク１１５からオイル注入用配管１１２を介して新たなオイルを注入することができ、ユニット間配管５を洗浄することができるものである。
【００３６】
なお、ユニット間配管５の洗浄を行う場合は、外部接続バルブ６０ａ，６０ｂおよびオイル接続バルブ６１は、閉状態で行われる。
また、ＧＨＰ室外ユニット２並びにＥＨＰユニット３に封入されている冷媒およびオイルはいずれも同じである。例えば、冷媒はＲ４１０Ａ、オイルはＰＶＥ（ポリビニールエーテル油）であり、この冷媒とオイルは相溶性がよく、この冷媒とオイルを用いることにより、比較的速やかに既設配管の洗浄作業を行うことができる。
【００３７】
以上説明したように、本発明を適用した実施形態においては、エンジンで駆動されるＧＨＰ圧縮機１３（能力の高い圧縮機）を備えたＧＨＰ室外ユニット２（第２の室外ユニット）と、商用電源で駆動されるＥＨＰ圧縮機（能力の低い圧縮機）を備えたＥＨＰ室外ユニット３（第１の室外ユニット）と、室内ユニット４と、を接続するユニット間配管５を洗浄するための配管洗浄方法において、ＧＨＰ圧縮機１３のオイルポート１３ｃに接続されるオイル排出用配管１１０と、オイル排出用配管１１０に設けられる排出用開閉弁１１１と、冷媒配管の中途部に接続されるオイル注入用配管１１２と、オイル注入用配管１１２に設けられる注入用開閉弁１１３とを設け、前記ＧＨＰ圧縮機を駆動して暖房運転によるポンプダウン動作処理と、前記オイル排出用配管の前記排出用開閉弁を開くオイル抜き処理と、前記オイル注入用配管の前記注入用開閉弁を開く新オイル注入処理と、暖房運転によるポンプダウン動作解除後に暖房運転を行う処理と、を順次行う。
これによれば、ＧＨＰ室外ユニット２およびＥＨＰ室外ユニット３を備えた空気調和装置において、ユニット間配管５の洗浄を効率よく行うことができる。別途、洗浄装置を準備して別工程による作業を行う必要もなく、設備施工のための工数およびコストの低減を図ることができる。
【００３８】
なお、前記実施の形態は本発明を適用した一態様を示すものであって、本発明は前記実施形態に限定されるものではない。
前記実施形態においては、システム制御部１０３により、ＧＨＰ制御部１００、ＥＨＰ制御部１０１および室内制御部１０２を統括して制御するようにしたが、本発明はこれに限定されない。例えば、空気調和装置のシステムを管理する管理会社が、サーバなどを経由して、システム制御部１０３などを直接制御するようにしてもよい。
【符号の説明】
【００３９】
１  空気調和装置
２  ＧＨＰ室外ユニット
３  ＥＨＰ室外ユニット
４  室内ユニット
５  ユニット間配管
１２  ガスエンジン
１３  ＧＨＰ圧縮機
１３ｃ  オイルポート
１７,６５  室外熱交換器
４０  室内熱交換器
６２  ＥＨＰ圧縮機
１００  ＧＨＰ制御部
１０１  ＥＨＰ制御部
１０２  室内制御部
１０３  システム制御部
１１０  オイル排出用配管
１１１  排出用開閉弁
１１２  オイル注入用配管
１１３  注入用開閉弁
１１４  オイル容器
１１５  オイルタンク
【図１】
0006706837.tif 000002
【図２】
0006706837.tif 000003